【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
外部から受信したディジタル放送信号を復調し、パケットストリームとして出力する受信復調部と、
前記パケットストリームを構成する複数のパケットのうちの所望のパケットをフィルタリングするパケットフィルタと、
前記パケットフィルタを通過した前記パケットストリームを記録するとともに、記録した前記パケットストリームを再生して出力する記録再生装置と
を備えるディジタル放送受信システムにおいて、
前記ディジタル放送受信システムは、
前記パケットストリームに含まれる各種情報テーブルの中の第１の特定の情報テーブルに関して、前記記録再生装置に記録される記録番組のみに関する情報が記述された新たな第１の特定の情報テーブルを生成する情報テーブル生成器と、
前記受信復調部と前記記録再生装置との間に配置され、伝送されてきた前記パケットストリームに含まれる、前記第１の特定の情報テーブルに対応する情報テーブルを、前記新たな第１の特定の情報テーブルによって置き換える情報テーブル置換器と
をさらに備えることを特徴とするディジタル放送受信システム。
【請求項２】
外部から受信したディジタル放送信号を復調し、パケットストリームとして出力する受信復調部と、
前記パケットストリームを構成する複数のパケットのうちの所望のパケットをフィルタリングするパケットフィルタと
を備えるディジタル放送受信システムにおいて、
前記ディジタル放送受信システムは、
前記パケットストリームに含まれる各種情報テーブルの中の第１の特定の情報テーブルに関して、記録される記録番組のみに関する情報が記述された新たな第１の特定の情報テーブルを生成する情報テーブル生成器と、
伝送されてきた前記パケットストリームに含まれる、前記第１の特定の情報テーブルに対応する情報テーブルを、前記新たな第１の特定の情報テーブルによって置き換える情報テーブル置換器と
をさらに備えることを特徴とするディジタル放送受信システム。
【請求項３】
前記第１の特定の情報テーブルはＰＡＴ（Program Association Table）である、請求項１又は２に記載のディジタル放送受信システム。
【請求項４】
前記パケットフィルタは、伝送されてきた前記パケットストリームに含まれる複数の第２の特定の情報テーブルのうち、前記記録番組に関する前記第２の特定の情報テーブル以外の情報テーブルをフィルタリングする、請求項１又は２に記載のディジタル放送受信システム。
【請求項５】
前記第２の特定の情報テーブルはＰＭＴ（Program Mapping Table）である、請求項４に記載のディジタル放送受信システム。
【請求項６】
前記情報テーブル生成器は、前記ＰＭＴ中に記述されている、ＥＳ（Elementary Stream）を伝送するパケットのＰＩＤ値を特定の値に置き換えて前記ＰＭＴを生成する機能を有し、
前記情報テーブル置換器は、伝送されてきた前記パケットストリームに含まれる、ＥＳを伝送するパケットのＰＩＤ値を前記特定の値に置き換える機能を有し、
前記ディジタル放送受信システムは、前記特定の値を保存するための記録部をさらに備える、請求項５に記載のディジタル放送受信システム。
【請求項７】
前記情報テーブル生成器はさらに、前記各種情報テーブルの中のＣＡＴ（Conditional Access Table）に関して、前記ディジタル放送信号の暗号化状態を記述した新たなＣＡＴを生成し、
前記情報テーブル置換器はさらに、伝送されてきた前記パケットストリームに含まれるＣＡＴを、前記新たなＣＡＴによって置き換える、請求項１又は２に記載のディジタル放送受信システム。
【請求項８】
前記ディジタル放送受信システムは、
伝送されてきた前記パケットストリームに含まれる前記各種情報テーブルの中の、ＳＤＴ（Service Description Table）及びＥＩＴ（Event Information Table）のうちの少なくともいずれか一方を抽出する情報テーブル抽出器と、
前記ＳＤＴ及びＥＩＴのうち、前記情報テーブル抽出器によって抽出されたものに記述されている情報を記録する記録部と
をさらに備え、
前記パケットフィルタは、伝送されてきた前記パケットストリームに含まれる前記ＳＤＴ及びＥＩＴのうち、前記情報テーブル抽出器によって抽出されたものをフィルタリングする、請求項１又は２に記載のディジタル放送受信システム。
【請求項９】
前記ディジタル放送受信システムは、
前記ディジタル放送信号の受信動作を制御する制御部と、
前記受信復調部から出力された前記パケットストリームの中から、前記各種情報テーブルの中の特定のＳＩ（Service Information）テーブルを抽出して、その記述内容を前記制御部に報告する情報テーブル抽出器と
をさらに備え、
前記パケットフィルタはさらに、伝送されてきた前記パケットストリームに含まれる前記特定のＳＩテーブルをフィルタリングする、請求項１又は２に記載のディジタル放送受信システム。
【請求項１０】
前記情報テーブル置換器が前記各種情報テーブルの置換動作を実行するにあたって、前記各種情報テーブルの伝送時間間隔をそれぞれ制御するためのタイマをさらに備える、請求項１〜９のいずれか一つに記載のディジタル放送受信システム。
【請求項１１】
前記情報テーブル置換器は、前記各種情報テーブルを、前記各種情報テーブルごとに規定された最大許容伝送時間間隔で置換する、請求項１０に記載のディジタル放送受信システム。
【請求項１２】
外部から受信したディジタル放送信号を復調し、パケットストリームとして出力する受信復調部と、
前記パケットストリームを構成する複数のパケットのうちの所望のパケットをフィルタリングするパケットフィルタと、
前記パケットフィルタを通過した前記パケットストリームを記録するとともに、記録した前記パケットストリームを再生して出力する記録再生装置と
を備えるディジタル放送受信システムにおいて、
前記パケットフィルタは、前記複数のパケットのうち、前記記録再生装置に記録される記録番組に関するデータ伝送用パケット以外のパケットをフィルタリングし、
前記ディジタル放送受信システムは、前記受信復調部から出力された前記パケットストリームの中から抽出された各種情報テーブルにそれぞれ記述されている情報に基づいて作成された番組情報インデックスを記録するための記録部をさらに備えることを特徴とするディジタル放送受信システム。
【請求項１３】
前記パケットフィルタによってフィルタリングされた前記各種情報テーブルの中の特定の情報テーブルに関して、新たな情報テーブルを生成する情報テーブル生成器と、
前記受信復調部と前記記録再生装置との間に配置され、伝送されてきた前記パケットストリームに、前記新たな情報テーブルを挿入する情報テーブル挿入器とをさらに備える、請求項１２に記載のディジタル放送受信システム。
【請求項１４】
外部から受信したディジタル放送信号を復調し、パケットストリームとして出力する受信復調部と、
前記パケットストリームを構成する複数のパケットのうちの所望のパケットをフィルタリングするパケットフィルタと
を備えるディジタル放送受信システムにおいて、
前記パケットフィルタは、前記複数のパケットのうち、記録される記録番組に関するデータ伝送用パケット以外のパケットをフィルタリングし、
前記ディジタル放送受信システムは、前記受信復調部から出力された前記パケットストリームの中から抽出された各種情報テーブルにそれぞれ記述されている情報に基づいて作成された番組情報インデックスを記録するための記録部をさらに備えることを特徴とするディジタル放送受信システム。
【請求項１５】
前記パケットフィルタによってフィルタリングされた前記各種情報テーブルの中の特定の情報テーブルに関して、新たな情報テーブルを生成する情報テーブル生成器と、
伝送されてきた前記パケットストリームに、前記新たな情報テーブルを挿入する情報テーブル挿入器とをさらに備える、請求項１４に記載のディジタル放送受信システム。
【請求項１６】
前記番組情報インデックスにおいて、ＰＭＴ中に記述されている、ＥＳを伝送するパケットのＰＩＤ値は特定の値に置き換えられて記述されており、
前記情報テーブル挿入器は、伝送されてきた前記パケットストリームに含まれる、ＥＳを伝送するパケットのＰＩＤ値を前記特定の値に置き換える機能を有する、請求項１３又は１５に記載のディジタル放送受信システム。
【請求項１７】
前記番組情報インデックスには、ＳＤＴ及びＥＩＴのうちの少なくともいずれか一方に記述されている情報が記述されている、請求項１２又は１４に記載のディジタル放送受信システム。
【請求項１８】
前記番組情報インデックスには、ＢＡＴ（Bouquet Association Table）に記述されている情報がさらに記述されている、請求項１７に記載のディジタル放送受信システム。
【請求項１９】
外部から受信したディジタル放送信号を復調し、パケットストリームとして出力する受信復調部と、
前記パケットストリームを構成する複数のパケットのうちの所望のパケットをフィルタリングするパケットフィルタと、
前記パケットフィルタを通過した前記パケットストリームを記録するとともに、記録した前記パケットストリームを再生して出力する記録再生装置と
を備えるディジタル放送受信システムにおいて、
前記ディジタル放送受信システムは、
所定の情報テーブルを生成する情報テーブル生成器と、
前記記録再生装置から出力された前記パケットストリームに前記所定の情報テーブルを挿入して、新たなパケットストリームとして出力する出力情報挿入器と、
前記受信復調部から出力される前記パケットストリームと、前記出力情報挿入器から出力される前記新たなパケットストリームとを選択的に切り換えて、ディジタル出力部に伝送する切換スイッチと
をさらに備えることを特徴とするディジタル放送受信システム。
【請求項２０】
前記情報テーブル生成器は、前記記録再生装置に記録されている番組のprogram_numberの値を任意に変更して前記所定の情報テーブルを生成する機能を有しており、
前記出力情報挿入器は、伝送されてきた前記パケットストリームに変更後の前記program_numberの値を与える機能を有する、請求項１９に記載のディジタル放送受信システム。
【請求項２１】
外部から受信したディジタル放送信号を復調し、パケットストリームとして出力する受信復調部と、
前記パケットストリームを構成する複数のパケットのうちの所望のパケットをフィルタリングするパケットフィルタと
を備えるディジタル放送受信システムにおいて、
前記ディジタル放送受信システムは、
所定の情報テーブルを生成する情報テーブル生成器と、
前記パケットフィルタを介して伝送されてきた前記パケットストリームに前記所定の情報テーブルを挿入して、新たなパケットストリームとして出力する出力情報挿入器と、
前記受信復調部から出力される前記パケットストリームと、前記出力情報挿入器から出力される前記新たなパケットストリームとを選択的に切り換えて、ディジタル出力部に伝送する切換スイッチと
をさらに備えることを特徴とするディジタル放送受信システム。
【請求項２２】
前記情報テーブル生成器は、番組のprogram_numberの値を任意に変更して前記所定の情報テーブルを生成する機能を有しており、
前記出力情報挿入器は、伝送されてきた前記パケットストリームに変更後の前記program_numberの値を与える機能を有する、請求項２１に記載のディジタル放送受信システム。
【請求項２３】
前記情報テーブル生成器は、記述されるＥＳのＰＩＤ値を任意に変更して前記所定の情報テーブルを生成する機能を有しており、
前記出力情報挿入器は、伝送されてきた前記パケットストリームに含まれる、ＥＳを伝送するパケットのＰＩＤ値を変更後の前記ＥＳのＰＩＤ値に置き換える機能を有する、請求項１９又は２１に記載のディジタル放送受信システム。
【請求項２４】
前記新たなパケットストリームが、前記出力情報挿入器から前記切換スイッチを介して前記ディジタル出力部に伝送される場合において、
前記受信復調部に伝送されているＳＤＴ、ＥＩＴ、ＢＡＴ、ＰＣＡＴ（Partial Content Announcement Table）、ＴＤＴ（Time Data Table）、及びＴＯＴ（Time Offset Table）のうちの少なくとも一つは、前記新たなパケットストリームに多重化されて出力されることを特徴とする、請求項１９又は２１に記載のディジタル放送受信システム。
【手続補正２】
【補正対象書類名】明細書
【補正対象項目名】００１２
【補正方法】変更
【補正の内容】
【００１２】
【課題を解決するための手段】
この発明のうち請求項１に記載のディジタル放送受信システムは、外部から受信したディジタル放送信号を復調し、パケットストリームとして出力する受信復調部と、パケットストリームを構成する複数のパケットのうちの所望のパケットをフィルタリングするパケットフィルタと、パケットフィルタを通過したパケットストリームを記録するとともに、記録したパケットストリームを再生して出力する記録再生装置とを備えるディジタル放送受信システムにおいて、ディジタル放送受信システムは、パケットストリームに含まれる各種情報テーブルの中の第１の特定の情報テーブルに関して、記録再生装置に記録される記録番組のみに関する情報が記述された新たな第１の特定の情報テーブルを生成する情報テーブル生成器と、受信復調部と記録再生装置との間に配置され、伝送されてきたパケットストリームに含まれる、第１の特定の情報テーブルに対応する情報テーブルを、新たな第１の特定の情報テーブルによって置き換える情報テーブル置換器とをさらに備えることを特徴とするものである。
また、この発明のうち請求項２に記載のディジタル放送受信システムは、外部から受信したディジタル放送信号を復調し、パケットストリームとして出力する受信復調部と、パケットストリームを構成する複数のパケットのうちの所望のパケットをフィルタリングするパケットフィルタとを備えるディジタル放送受信システムにおいて、ディジタル放送受信システムは、パケットストリームに含まれる各種情報テーブルの中の第１の特定の情報テーブルに関して、記録される記録番組のみに関する情報が記述された新たな第１の特定の情報テーブルを生成する情報テーブル生成器と、伝送されてきたパケットストリームに含まれる、第１の特定の情報テーブルに対応する情報テーブルを、新たな第１の特定の情報テーブルによって置き換える情報テーブル置換器とをさらに備えることを特徴とするものである。
【手続補正３】
【補正対象書類名】明細書
【補正対象項目名】００１３
【補正方法】変更
【補正の内容】
【００１３】
また、この発明のうち請求項３に記載のディジタル放送受信システムは、請求項１又は２に記載のディジタル放送受信システムであって、第１の特定の情報テーブルはＰＡＴであることを特徴とするものである。
【手続補正４】
【補正対象書類名】明細書
【補正対象項目名】００１４
【補正方法】変更
【補正の内容】
【００１４】
また、この発明のうち請求項４に記載のディジタル放送受信システムは、請求項１又は２に記載のディジタル放送受信システムであって、パケットフィルタは、伝送されてきたパケットストリームに含まれる複数の第２の特定の情報テーブルのうち、記録番組に関する第２の特定の情報テーブル以外の情報テーブルをフィルタリングすることを特徴とするものである。
【手続補正５】
【補正対象書類名】明細書
【補正対象項目名】００１５
【補正方法】変更
【補正の内容】
【００１５】
また、この発明のうち請求項５に記載のディジタル放送受信システムは、請求項４に記載のディジタル放送受信システムであって、第２の特定の情報テーブルはＰＭＴであることを特徴とするものである。
【手続補正６】
【補正対象書類名】明細書
【補正対象項目名】００１６
【補正方法】変更
【補正の内容】
【００１６】
また、この発明のうち請求項６に記載のディジタル放送受信システムは、請求項５に記載のディジタル放送受信システムであって、情報テーブル生成器は、ＰＭＴ中に記述されている、ＥＳを伝送するパケットのＰＩＤ値を特定の値に置き換えてＰＭＴを生成する機能を有し、情報テーブル置換器は、伝送されてきたパケットストリームに含まれる、ＥＳを伝送するパケットのＰＩＤ値を特定の値に置き換える機能を有し、ディジタル放送受信システムは、特定の値を保存するための記録部をさらに備えることを特徴とするものである。
【手続補正７】
【補正対象書類名】明細書
【補正対象項目名】００１７
【補正方法】変更
【補正の内容】
【００１７】
また、この発明のうち請求項７に記載のディジタル放送受信システムは、請求項１又は２に記載のディジタル放送受信システムであって、情報テーブル生成器はさらに、各種情報テーブルの中のＣＡＴに関して、ディジタル放送信号の暗号化状態を記述した新たなＣＡＴを生成し、情報テーブル置換器はさらに、伝送されてきたパケットストリームに含まれるＣＡＴを、新たなＣＡＴによって置き換えることを特徴とするものである。
【手続補正８】
【補正対象書類名】明細書
【補正対象項目名】００１８
【補正方法】変更
【補正の内容】
【００１８】
また、この発明のうち請求項８に記載のディジタル放送受信システムは、請求項１又は２に記載のディジタル放送受信システムであって、ディジタル放送受信システムは、伝送されてきたパケットストリームに含まれる各種情報テーブルの中の、ＳＤＴ及びＥＩＴのうちの少なくともいずれか一方を抽出する情報テーブル抽出器と、ＳＤＴ及びＥＩＴのうち、情報テーブル抽出器によって抽出されたものに記述されている情報を記録する記録部とをさらに備え、パケットフィルタは、伝送されてきたパケットストリームに含まれるＳＤＴ及びＥＩＴのうち、情報テーブル抽出器によって抽出されたものをフィルタリングすることを特徴とするものである。
【手続補正９】
【補正対象書類名】明細書
【補正対象項目名】００１９
【補正方法】変更
【補正の内容】
【００１９】
また、この発明のうち請求項９に記載のディジタル放送受信システムは、請求項１又は２に記載のディジタル放送受信システムであって、ディジタル放送受信システムは、ディジタル放送信号の受信動作を制御する制御部と、受信復調部から出力されたパケットストリームの中から、各種情報テーブルの中の特定のＳＩテーブルを抽出して、その記述内容を制御部に報告する情報テーブル抽出器とをさらに備え、パケットフィルタはさらに、伝送されてきたパケットストリームに含まれる特定のＳＩテーブルをフィルタリングすることを特徴とするものである。
【手続補正１０】
【補正対象書類名】明細書
【補正対象項目名】００２０
【補正方法】変更
【補正の内容】
【００２０】
また、この発明のうち請求項１０に記載のディジタル放送受信システムは、請求項１〜９のいずれか一つに記載のディジタル放送受信システムであって、情報テーブル置換器が各種情報テーブルの置換動作を実行するにあたって、各種情報テーブルの伝送時間間隔をそれぞれ制御するためのタイマをさらに備えることを特徴とするものである。
【手続補正１１】
【補正対象書類名】明細書
【補正対象項目名】００２１
【補正方法】変更
【補正の内容】
【００２１】
また、この発明のうち請求項１１に記載のディジタル放送受信システムは、請求項１０に記載のディジタル放送受信システムであって、情報テーブル置換器は、各種情報テーブルを、各種情報テーブルごとに規定された最大許容伝送時間間隔で置換することを特徴とするものである。
【手続補正１２】
【補正対象書類名】明細書
【補正対象項目名】００２２
【補正方法】変更
【補正の内容】
【００２２】
また、この発明のうち請求項１２に記載のディジタル放送受信システムは、外部から受信したディジタル放送信号を復調し、パケットストリームとして出力する受信復調部と、パケットストリームを構成する複数のパケットのうちの所望のパケットをフィルタリングするパケットフィルタと、パケットフィルタを通過したパケットストリームを記録するとともに、記録したパケットストリームを再生して出力する記録再生装置とを備えるディジタル放送受信システムにおいて、パケットフィルタは、複数のパケットのうち、記録再生装置に記録される記録番組に関するデータ伝送用パケット以外のパケットをフィルタリングし、ディジタル放送受信システムは、受信復調部から出力されたパケットストリームの中から抽出された各種情報テーブルにそれぞれ記述されている情報に基づいて作成された番組情報インデックスを記録するための記録部をさらに備えることを特徴とするものである。
【手続補正１３】
【補正対象書類名】明細書
【補正対象項目名】００２３
【補正方法】変更
【補正の内容】
【００２３】
また、この発明のうち請求項１３に記載のディジタル放送受信システムは、請求項１２に記載のディジタル放送受信システムであって、パケットフィルタによってフィルタリングされた各種情報テーブルの中の特定の情報テーブルに関して、新たな情報テーブルを生成する情報テーブル生成器と、受信復調部と記録再生装置との間に配置され、伝送されてきたパケットストリームに、新たな情報テーブルを挿入する情報テーブル挿入器とをさらに備えることを特徴とするものである。
また、この発明のうち請求項１４に記載のディジタル放送受信システムは、外部から受信したディジタル放送信号を復調し、パケットストリームとして出力する受信復調部と、パケットストリームを構成する複数のパケットのうちの所望のパケットをフィルタリングするパケットフィルタとを備えるディジタル放送受信システムにおいて、パケットフィルタは、複数のパケットのうち、記録される記録番組に関するデータ伝送用パケット以外のパケットをフィルタリングし、ディジタル放送受信システムは、受信復調部から出力されたパケットストリームの中から抽出された各種情報テーブルにそれぞれ記述されている情報に基づいて作成された番組情報インデックスを記録するための記録部をさらに備えることを特徴とするものである。
また、この発明のうち請求項１５に記載のディジタル放送受信システムは、請求項１４に記載のディジタル放送受信システムであって、パケットフィルタによってフィルタリングされた各種情報テーブルの中の特定の情報テーブルに関して、新たな情報テーブルを生成する情報テーブル生成器と、伝送されてきたパケットストリームに、新たな情報テーブルを挿入する情報テーブル挿入器とをさらに備えることを特徴とするものである。
【手続補正１４】
【補正対象書類名】明細書
【補正対象項目名】００２４
【補正方法】変更
【補正の内容】
【００２４】
また、この発明のうち請求項１６に記載のディジタル放送受信システムは、請求項１３又は１５に記載のディジタル放送受信システムであって、番組情報インデックスにおいて、ＰＭＴ中に記述されている、ＥＳを伝送するパケットのＰＩＤ値は特定の値に置き換えられて記述されており、情報テーブル挿入器は、伝送されてきたパケットストリームに含まれる、ＥＳを伝送するパケットのＰＩＤ値を特定の値に置き換える機能を有することを特徴とするものである。
【手続補正１５】
【補正対象書類名】明細書
【補正対象項目名】００２５
【補正方法】変更
【補正の内容】
【００２５】
また、この発明のうち請求項１７に記載のディジタル放送受信システムは、請求項１２又は１４に記載のディジタル放送受信システムであって、番組情報インデックスには、ＳＤＴ及びＥＩＴのうちの少なくともいずれか一方に記述されている情報が記述されていることを特徴とするものである。
【手続補正１６】
【補正対象書類名】明細書
【補正対象項目名】００２６
【補正方法】変更
【補正の内容】
【００２６】
また、この発明のうち請求項１８に記載のディジタル放送受信システムは、請求項１７に記載のディジタル放送受信システムであって、番組情報インデックスには、ＢＡＴに記述されている情報がさらに記述されていることを特徴とするものである。
【手続補正１７】
【補正対象書類名】明細書
【補正対象項目名】００２７
【補正方法】変更
【補正の内容】
【００２７】
また、この発明のうち請求項１９に記載のディジタル放送受信システムは、外部から受信したディジタル放送信号を復調し、パケットストリームとして出力する受信復調部と、パケットストリームを構成する複数のパケットのうちの所望のパケットをフィルタリングするパケットフィルタと、パケットフィルタを通過したパケットストリームを記録するとともに、記録したパケットストリームを再生して出力する記録再生装置とを備えるディジタル放送受信システムにおいて、ディジタル放送受信システムは、所定の情報テーブルを生成する情報テーブル生成器と、記録再生装置から出力されたパケットストリームに所定の情報テーブルを挿入して、新たなパケットストリームとして出力する出力情報挿入器と、受信復調部から出力されるパケットストリームと、出力情報挿入器から出力される新たなパケットストリームとを選択的に切り換えて、ディジタル出力部に伝送する切換スイッチとをさらに備えることを特徴とするものである。
【手続補正１８】
【補正対象書類名】明細書
【補正対象項目名】００２８
【補正方法】変更
【補正の内容】
【００２８】
また、この発明のうち請求項２０に記載のディジタル放送受信システムは、請求項１９に記載のディジタル放送受信システムであって、情報テーブル生成器は、記録再生装置に記録されている番組のprogram_numberの値を任意に変更して所定の情報テーブルを生成する機能を有しており、出力情報挿入器は、伝送されてきたパケットストリームに変更後のprogram_numberの値を与える機能を有することを特徴とするものである。
また、この発明のうち請求項２１に記載のディジタル放送受信システムは、外部から受信したディジタル放送信号を復調し、パケットストリームとして出力する受信復調部と、パケットストリームを構成する複数のパケットのうちの所望のパケットをフィルタリングするパケットフィルタとを備えるディジタル放送受信システムにおいて、ディジタル放送受信システムは、所定の情報テーブルを生成する情報テーブル生成器と、パケットフィルタを介して伝送されてきたパケットストリームに所定の情報テーブルを挿入して、新たなパケットストリームとして出力する出力情報挿入器と、受信復調部から出力されるパケットストリームと、出力情報挿入器から出力される新たなパケットストリームとを選択的に切り換えて、ディジタル出力部に伝送する切換スイッチとをさらに備えることを特徴とするものである。
また、この発明のうち請求項２２に記載のディジタル放送受信システムは、請求項２１に記載のディジタル放送受信システムであって、情報テーブル生成器は、番組のprogram_numberの値を任意に変更して所定の情報テーブルを生成する機能を有しており、出力情報挿入器は、伝送されてきたパケットストリームに変更後のprogram_numberの値を与える機能を有することを特徴とするものである。
【手続補正１９】
【補正対象書類名】明細書
【補正対象項目名】００２９
【補正方法】変更
【補正の内容】
【００２９】
また、この発明のうち請求項２３に記載のディジタル放送受信システムは、請求項１９又は２１に記載のディジタル放送受信システムであって、情報テーブル生成器は、記述されるＥＳのＰＩＤ値を任意に変更して所定の情報テーブルを生成する機能を有しており、出力情報挿入器は、伝送されてきたパケットストリームに含まれる、ＥＳを伝送するパケットのＰＩＤ値を変更後のＥＳのＰＩＤ値に置き換える機能を有することを特徴とするものである。
【手続補正２０】
【補正対象書類名】明細書
【補正対象項目名】００３０
【補正方法】変更
【補正の内容】
【００３０】
また、この発明のうち請求項２４に記載のディジタル放送受信システムは、請求項１９又は２１に記載のディジタル放送受信システムであって、新たなパケットストリームが、出力情報挿入器から切換スイッチを介してディジタル出力部に伝送される場合において、受信復調部に伝送されているＳＤＴ、ＥＩＴ、ＢＡＴ、ＰＣＡＴ、ＴＤＴ、及びＴＯＴのうちの少なくとも一つは、新たなパケットストリームに多重化されて出力されることを特徴とするものである。
【手続補正２１】
【補正対象書類名】明細書
【補正対象項目名】００４０
【補正方法】変更
【補正の内容】
【００４０】
また、ＮＩＴに関しては、ＮＩＴ自身はＭＰＥＧ規格中でのオプション扱いであるため、必ずしもパケットフィルタ２を通過させて伝送、記録する必要はない。パケットフィルタ２によってＮＩＴをフィルタリングしたとしても、ＮＩＴを有しないことが他の機器に対して与える影響は少ないと考えられる。しかしながら、情報テーブル生成器７によってprogram_numberが「０」のテーブル（即ちＮＩＴ）を記録番組情報とともに生成し、情報テーブル置換器３にてパケットストリーム中に挿入してもよい。これにより、ＮＩＴの存在を必須とするディジタル情報処理系への対応が可能となる。
【手続補正２２】
【補正対象書類名】明細書
【補正対象項目名】０１０３
【補正方法】変更
【補正の内容】
【０１０３】
情報テーブル挿入器３ａの出力は記録再生装置４に入力され、記録媒体に記録される。また、ＣＰＵ８にはグラフィクス部１５が接続され、この出力をＡＶデコーダ１１へ送ることで、必要なグラフィクス表示をモニタ１２に表示される動画像と合わせてユーザに提示することが可能である。
【手続補正２３】
【補正対象書類名】明細書
【補正対象項目名】０１０８
【補正方法】変更
【補正の内容】
【０１０８】
さらに、ディジタル放送データが暗号化されて伝送されている場合、データが暗号化されている旨がＣＡＴ中に記述されている。このＣＡＴに関しては、ＭＰＥＧ規格によって最大許容伝送間隔は１秒と規定されており、番組の間で暗号化の状態が変化する可能性がある。本実施の形態に係るシステムにおいて、この暗号はＣＰＵ８からの指示を受けて受信復調部１が解読することになるが、記録においては、ＣＡＴに記述されている各時点における暗号化の状態を、番組情報インデックスに併せて記述する。図１４は、暗号化の状態が記述された番組情報インデックスの例を示す図である。図１４に示した番組情報インデックスにおいては、ＣＡシステム識別記述子が記録位置によって変化している。この例においては、記録位置が100000から11ffffの間に記録された番組は暗号化がされておらず、認証なしに再生を行うことが可能ということになる。
【手続補正２４】
【補正対象書類名】明細書
【補正対象項目名】０１７２
【補正方法】変更
【補正の内容】
【０１７２】
以上のように、情報テーブル生成器７によってＥＩＴ及びＳＤＴを生成し、出力情報挿入器１６によって番組データに挿入することで、記録番組の番組データとともに、現在伝送されているＥＩＴ及びＳＤＴを外部機器に伝送することが可能となる。これにより、外部のディジタル放送受信システムにおいては、その本来具備するＥＰＧやユーザインタフェースのみを利用して、特別な先見情報なしに、本発明に係るディジタル放送受信システムから出力される再生番組の選択及び視聴を行うことが可能となる。
【手続補正２５】
【補正対象書類名】明細書
【補正対象項目名】０１８２
【補正方法】変更
【補正の内容】
【０１８２】
【発明の効果】
この発明のうち請求項１又は２に係るものによれば、第１の特定の情報テーブルは、記録番組のみに関する情報が記述された新たな第１の特定の情報テーブルによって置き換えられる。そのため、第１の特定の情報テーブルのデータ量が圧縮され、記録再生装置の記録効率を高めることができる。
【手続補正２６】
【補正対象書類名】明細書
【補正対象項目名】０１８３
【補正方法】変更
【補正の内容】
【０１８３】
また、この発明のうち請求項３に係るものによれば、記録番組に関するＰＡＴは記録再生装置に記録されるため、ＰＡＴに関してはＭＰＥＧ規格に準拠したパケットストリームを得ることができる。
【手続補正２７】
【補正対象書類名】明細書
【補正対象項目名】０１８４
【補正方法】変更
【補正の内容】
【０１８４】
また、この発明のうち請求項４に係るものによれば、記録番組以外の番組に関する第２の特定の情報テーブルは、パケットフィルタによってフィルタリングされる。そのため、第２の特定の情報テーブルを伝送するためのパケットの個数が削減され、記録再生装置の記録効率を高めることができる。
【手続補正２８】
【補正対象書類名】明細書
【補正対象項目名】０１８５
【補正方法】変更
【補正の内容】
【０１８５】
また、この発明のうち請求項５に係るものによれば、記録番組に関するＰＭＴは記録再生装置に記録されるため、ＰＭＴに関してはＭＰＥＧ規格に準拠したパケットストリームを得ることができる。
【手続補正２９】
【補正対象書類名】明細書
【補正対象項目名】０１８６
【補正方法】変更
【補正の内容】
【０１８６】
また、この発明のうち請求項６に係るものによれば、ＥＳを伝送するパケットのＰＩＤ値は記録部に保存された既知の値であるため、記録再生装置から出力されたパケットストリームの再生処理を行う再生系は、ＰＡＴ及びＰＭＴの記述内容を確認するという動作を行うことなく、直ちにＥＳの処理を開始することができる。
【手続補正３０】
【補正対象書類名】明細書
【補正対象項目名】０１８７
【補正方法】変更
【補正の内容】
【０１８７】
また、この発明のうち請求項７に係るものによれば、記録番組に関するＣＡＴは記録再生装置に記録されるため、ＣＡＴに関してはＭＰＥＧ規格に準拠したパケットストリームを得ることができる。
【手続補正３１】
【補正対象書類名】明細書
【補正対象項目名】０１８８
【補正方法】変更
【補正の内容】
【０１８８】
また、この発明のうち請求項８に係るものによれば、記録再生装置の記録効率を高めつつ、ＳＤＴ及びＥＩＴに記述されている情報を活用することが可能となる。
【手続補正３２】
【補正対象書類名】明細書
【補正対象項目名】０１８９
【補正方法】変更
【補正の内容】
【０１８９】
また、この発明のうち請求項９に係るものによれば、記録再生装置の記録効率を高めつつ、ディジタル放送信号の受信の際に、制御部がＳＩテーブルの記述内容を利用することができる。
【手続補正３３】
【補正対象書類名】明細書
【補正対象項目名】０１９０
【補正方法】変更
【補正の内容】
【０１９０】
また、この発明のうち請求項１０に係るものによれば、各種情報テーブルが規格で定められた最大許容伝送時間間隔よりも短い間隔で伝送されている場合に、タイマを用いて時間経過を監視しつつ、情報テーブルの伝送時間間隔を広げることにより、記録再生装置の記録効率をさらに高めることができる。
【手続補正３４】
【補正対象書類名】明細書
【補正対象項目名】０１９１
【補正方法】変更
【補正の内容】
【０１９１】
また、この発明のうち請求項１１に係るものによれば、規格を準拠しつつ、記録再生装置の記録効率を最大限高めることができる。
【手続補正３５】
【補正対象書類名】明細書
【補正対象項目名】０１９２
【補正方法】変更
【補正の内容】
【０１９２】
また、この発明のうち請求項１２又は１４に係るものによれば、記録再生装置には記録番組に関するデータ伝送用パケットのみが記録されるため、記録再生装置の記録効率を飛躍的に高めることができる。
【手続補正３６】
【補正対象書類名】明細書
【補正対象項目名】０１９３
【補正方法】変更
【補正の内容】
【０１９３】
また、この発明のうち請求項１３又は１５に係るものによれば、記録再生装置に特定の情報テーブルを記録することができる。従って、例えば、記録再生装置が可搬性の記録媒体を有する場合にＣＡＴを記録媒体に記録することにより、課金と連動した番組の再生動作を、送信側の意図通りに運用することが可能となる。
【手続補正３７】
【補正対象書類名】明細書
【補正対象項目名】０１９４
【補正方法】変更
【補正の内容】
【０１９４】
また、この発明のうち請求項１６に係るものによれば、ＥＳを伝送するパケットのＰＩＤ値は番組情報インデックスに記述された既知の値であるため、記録再生装置から出力されたパケットストリームの再生処理を行う再生系は、ＰＡＴ及びＰＭＴの記述内容を確認するという動作を行うことなく、直ちにＥＳの処理を開始することができる。
【手続補正３８】
【補正対象書類名】明細書
【補正対象項目名】０１９５
【補正方法】変更
【補正の内容】
【０１９５】
また、この発明のうち請求項１７に係るものによれば、有用性の高いＳＤＴ及びＥＩＴを番組情報インデックスに記述しておくことにより、ユーザの利便性の向上を図ることができる。
【手続補正３９】
【補正対象書類名】明細書
【補正対象項目名】０１９６
【補正方法】変更
【補正の内容】
【０１９６】
また、この発明のうち請求項１８に係るものによれば、ＢＡＴを番組情報インデックスに記述しておくことにより、ユーザの利便性の向上を図ることができる。
【手続補正４０】
【補正対象書類名】明細書
【補正対象項目名】０１９７
【補正方法】変更
【補正の内容】
【０１９７】
また、この発明のうち請求項１９又は２１に係るものによれば、ディジタル出力部に接続された外部機器においても、記録再生装置に記録された番組の視聴が可能となる。しかも、出力情報挿入器によって、記録再生装置から出力されたパケットストリームに所定の情報テーブルを挿入することで、規格に準拠した新たなパケットストリームとして出力することができる。
【手続補正４１】
【補正対象書類名】明細書
【補正対象項目名】０１９８
【補正方法】変更
【補正の内容】
【０１９８】
また、この発明のうち請求項２０又は２２に係るものによれば、記録再生装置に記録されたprogram_numberが同一の複数の番組を同時に出力する場合に、一方の番組のprogram_numberを変更することにより、番組を区別して処理することが可能となる。
【手続補正４２】
【補正対象書類名】明細書
【補正対象項目名】０１９９
【補正方法】変更
【補正の内容】
【０１９９】
また、この発明のうち請求項２３に係るものによれば、記録再生装置に記録されたＥＳのＰＩＤ値が同一の複数の番組を同時に出力する場合に、一方の番組のＥＳのＰＩＤ値を変更することにより、番組を区別して処理することが可能となる。
【手続補正４３】
【補正対象書類名】明細書
【補正対象項目名】０２００
【補正方法】変更
【補正の内容】
【０２００】
また、この発明のうち請求項２４に係るものによれば、ディジタル出力部に接続された外部機器においても、受信復調部に伝送されているＳＤＴ、ＥＩＴ、ＢＡＴ、ＰＣＡＴ、ＴＤＴ、及びＴＯＴを活用することができ、ユーザの利便性の向上を図ることができる。